(57)【要約】【課題】  ポータブルコンピュータを不使用時には、コードを接続したまま収納部に収容し、天板の上面を広く使用でき、使用時には天板上に取り出してそのまま使用でき、コードを挿通する部分を除き収納部を閉じて天板上を広く使用でき、天板の奥行幅を拡張しなくても足入れ空間を広く確保でき、特に会議用として好適に使用できるポータブルコンピュータ収納型テーブルを提供する。【解決手段】  足入れ空間Ｓを有する脚部２で支持された天板１の後部に開口６を形成し、開口内にポータブルコンピュータＰの収納部４を設け、開口に後端を枢支して開閉可能な開閉天板７を設け、開閉天板の前縁部の一部に蓋体８を開閉可能に設け、収納部の内部から配線コードＣを接続したままのポータブルコンピュータを天板上に取り出すとともに、開閉天板を閉じ且つ蓋体を開放して形成される空間に配線コードＣを挿通する。【選択図】        図６
2009273584.tif 000002
【特許請求の範囲】
【請求項１】
足入れ空間を有する脚部で支持された天板の後部に開口を形成し、該開口内にポータブルコンピュータの収納部を設けるとともに、該開口に後端を枢支して開閉可能な開閉天板を設け、更に前記開閉天板の前縁部の一部に蓋体を開閉可能に設け、前記収納部の内部から配線コードを接続したままの前記ポータブルコンピュータを天板上に取り出すとともに、前記開閉天板を閉じ且つ蓋体を開放して形成される空間に前記配線コードを挿通することを特徴とするポータブルコンピュータ収納型テーブル。
【請求項２】
前記収納部は、前記開口内の前端から後下方へ延びた傾斜板と該傾斜板の下端部に設けた当止部とからなり、前記傾斜板に載支した前記ポータブルコンピュータを当止部で当止して収納する請求項１記載のポータブルコンピュータ収納型テーブル。
【請求項３】
前記開閉天板の前縁部の一部に四角形の切欠開口を形成するとともに、該切欠開口の両側後部に前記蓋体の後部を上下回動可能に軸支するとともに、該軸支部よりも前側の切欠開口の側面に、前記蓋体が開閉天板の上面と面一となった閉止状態を維持するとともに、該蓋体を開放した状態を維持するストッパー部材を突設してなる請求項１又は２記載のポータブルコンピュータ収納型テーブル。
【請求項４】
前記天板の下方で後部に沿って配線ボックスを前記脚部と一体的に設けるとともに、前記収納部の傾斜板の一部又は全部が足入れ空間に臨んでいる請求項２又は３記載のポータブルコンピュータ収納型テーブル。
【請求項５】
前記収納部内であって前記傾斜板に対して間隔を置いて水平なマウス置き台を設け、該収納部に前記ポータブルコンピュータを収納した状態で、前記マウス置き台の前端部をポータブルコンピュータの後方移動を規制する規制部としてなる請求項２〜４何れかに記載のポータブルコンピュータ収納型テーブル。
【発明の詳細な説明】
【技術分野】
【０００１】
本発明は、ポータブルコンピュータ収納型テーブルに係わり、更に詳しくはノート型パソコン等のポータブルコンピュータの収納部を備え、例えば会議用に使用するテーブルに関するものである。
【背景技術】
【０００２】
特許文献１には、天板の所定箇所に開口が形成されるとともに、該開口の下方にはシート状の支持部材が設けられ、この支持部材によりコンピュータの入力装置を包囲するように収納出来るように構成されるとともに、この支持部材の少なくとも一部が、引き上げ手段を介して上方に引き上げ自在に設けられているコンピュータの入力装置等を内蔵する机が記載されている。ここで、前記天板の下面における前記支持部材の前側には、前記支持部材により収納されたコンピュータの入力装置を、その上端側が下端側より前方に傾斜するように支持する傾斜壁が設けられ、前記引き上げ手段が、前記開口を開閉自在に設けられた開閉天板であり、前記開閉天板を開放することで前記支持部材の一部が上方に引き上げられるようになっている。更に、前記天板における前記開口の後方所定箇所に、コンピュータのディスプレイ装置を収納するディスプレイ収納部が設けられているとともに、該ディスプレイ収納部内には、前記ディスプレイを前記ディスプレイ収納部内と前記天板上方との間で昇降させる昇降装置が設けられている。
【０００３】
特許文献２には、テーブルの背面側に併設されるテーブル併設用機器収容ボックスにおいて、テーブル背面に沿って配置され、内部を配線収容空間とした自立型のボックス本体の上部に、テーブルの天板上に前方に向かって突出し、かつ会議用機器または配線用機器類を載置または収容できるようにした機器等収容部を設けたテーブル併設用機器収容ボックスが記載されている。また、機器等収容部の一部に、開閉可能な蓋を設け、ここにノート型パソコンを収容できるようにしている。
【０００４】
特許文献１に記載されたものは、コンピュータ本体とその入力装置とディスプレイ装置が分離したタイプのコンピュータを使用するために特化された専用のＯＡ机であり、昇降装置を設ける等機構が複雑である。開閉天板は、開口の閉塞時にその上面が天板の上面とほぼ面一となり、天板の上面の一部を構成するように開口の後部に蝶着され、更に開閉天板の左右の短縁手前側には、左右側及び前側に開放する切欠部が形成され、開閉天板を上方へ開成させる際に手指を挿入できるとともに、開閉天板により開口を閉塞した状態において、キーボードやマウスとコンピュータ本体とを接続するケーブルを引き出すことが出来るようになっている。ところが、開閉天板を閉じた状態でも切欠部による孔が天板に存在することになり、外観性を損なうばかりでなく、天板上での作業に支障をきたす場合もある。また、開閉天板の切欠部による孔は、なるべく目立たなくするために比較的小さくしているので、配線が難しくなるといった問題も有している。更に、机の天板下方の奥部に、前記ディスプレイ装置の昇降装置を備えているので、必然的に足入れ空間が狭くなって窮屈になるか、それを避けるため天板の奥行幅を大きくすると机が大型化するといった問題も有する。
【０００５】
また、特許文献２に記載されたものは、テーブル併設用機器収容ボックスの機器等収容部に収容したノート型パソコンを、蓋を開いて取り出して天板上で使用することができるが、機器等収容部が天板の後部上まで延びているので、テーブルの天板が狭くなり、ノート型パソコンを使用しない場合にはテーブルの天板上に存在する機器等収容部が邪魔になる。
【特許文献１】特許第３９６６７２５号公報
【特許文献２】特開２００２−３６０３５７号公報
【発明の開示】
【発明が解決しようとする課題】
【０００６】
そこで、本発明が前述の状況に鑑み、解決しようとするところは、ノート型パソコン等のポータブルコンピュータを使用しないときには、コードを接続したまま収納部に収容することができるとともに、収納状態で天板を完全にフラットにしてその上面を広く使用することができ、またポータブルコンピュータを使用するときには、天板上に取り出してそのまま使用することができるとともに、コードを挿通する部分を除き収納部を閉じて天板上を広く使用することができ、しかも天板の奥行幅を拡張しなくても足入れ空間を広く確保することができ、特に会議用として好適に使用できるポータブルコンピュータ収納型テーブルを提供する点にある。
【課題を解決するための手段】
【０００７】
本発明は、前述の課題解決のために、足入れ空間を有する脚部で支持された天板の後部に開口を形成し、該開口内にポータブルコンピュータの収納部を設けるとともに、該開口に後端を枢支して開閉可能な開閉天板を設け、更に前記開閉天板の前縁部の一部に蓋体を開閉可能に設け、前記収納部の内部から配線コードを接続したままの前記ポータブルコンピュータを天板上に取り出すとともに、前記開閉天板を閉じ且つ蓋体を開放して形成される空間に前記配線コードを挿通することを特徴とするポータブルコンピュータ収納型テーブルを構成した（請求項１）。
【０００８】
ここで、前記収納部は、前記開口内の前端から後下方へ延びた傾斜板と該傾斜板の下端部に設けた当止部とからなり、前記傾斜板に載支した前記ポータブルコンピュータを当止部で当止して収納するものである（請求項２）。
【０００９】
また、前記開閉天板の前縁部の一部に四角形の切欠開口を形成するとともに、該切欠開口の両側後部に前記蓋体の後部を上下回動可能に軸支するとともに、該軸支部よりも前側の切欠開口の側面に、前記蓋体が開閉天板の上面と面一となった閉止状態を維持するとともに、該蓋体を開放した状態を維持するストッパー部材を突設してなることが好ましい（請求項３）。
【００１０】
更に、前記天板の下方で後部に沿って配線ボックスを前記脚部と一体的に設けるとともに、前記収納部の傾斜板の一部又は全部が足入れ空間に臨んでいることも好ましい（請求項４）。
【００１１】
そして、前記収納部内であって前記傾斜板に対して間隔を置いて水平なマウス置き台を設け、該収納部に前記ポータブルコンピュータを収納した状態で、前記マウス置き台の前端部をポータブルコンピュータの後方移動を規制する規制部としてなることがより好ましい（請求項５）。
【発明の効果】
【００１２】
以上にしてなる請求項１に係る発明のポータブルコンピュータ収納型テーブルは、収納部内にポータブルコンピュータを収納して開閉天板を閉じ且つ蓋体を閉じて開口を完全に塞いだ状態では、天板と開閉天板が面一となって天板を広く使用することができ、また前記蓋体を開放してその開放空間内に指を差し入れ、あるいは蓋体自体を持って引き上げれば、前記開閉天板を上方へ開放することができ、その状態で収納部内から配線コードを接続したままポータブルコンピュータを取り出して天板の全部に載置し、そして前記開閉天板を閉じる際に、蓋体を開放して形成される空間に前記配線コードを挿通することができるのである。また、ポータブルコンピュータを取り出して使用しているときに開閉天板を閉じるので、天板を広く使用することができるばかりでなく、天板上で使用する筆記具を始めとした事務用品が開口内に落ちることがなくなる。
【００１３】
請求項２によれば、前記収納部は、前記開口内の前端から後下方へ延びた傾斜板と該傾斜板の下端部に設けた当止部とからなるので、収納部の奥行寸法を抑制することができ、それにより足入れ空間を広く確保することができ、また開閉天板を開放した状態でポータブルコンピュータを後部から開口内に進入させ、前記傾斜板に沿って当止部に当止するまで滑らせながら、傾斜板に載支することにより簡単に収納することができ、また配線コードも接続したまま収納部に収納することができる。
【００１４】
請求項３によれば、蓋体の両側裏面を両側のストッパー部材に載支することにより、蓋体を開閉天板の上面と面一の状態で切欠開口を完全に閉じることができ、また蓋体の後端部を指で押し込むことにより該蓋体を開放することができ、その開放状態の蓋体の裏面を前記ストッパー部材の後端に当止し、開放状態を安定に維持することができる。
【００１５】
請求項４によれば、前記天板の下方で後部に沿って配線ボックスを前記脚部と一体的に設けるとともに、前記収納部の傾斜板の一部又は全部が足入れ空間に臨んでいることにより、配線ボックスから収納部への配線が容易になり、また配線コードが露出しないので外観性の向上は勿論、配線コードに足を引っ掛けて接続部の抜けや断線を防止することができる。また、傾斜板の一部又は全部が足入れ空間に臨むように配置することにより、足入れ空間を広く確保することができる。
【００１６】
請求項５によれば、マウスをポータブルコンピュータに接続したまま、ポータブルコンピュータを収納部に収納するとともに、マウスをマウス置き台に載置して収納することができるとともに、前記マウス置き台の前端部をポータブルコンピュータの後方移動を規制する規制部としてなるので、不意にテーブルが移動したり、振動しても収納部に対するポータブルコンピュータの相対位置の変化が少ないので、傾斜板や他の部分への衝突による衝撃を和らげることができ、予期せぬ故障の発生を防止することができる。
【発明を実施するための最良の形態】
【００１７】
次に、添付図面に示した実施形態に基づき、本発明を更に詳細に説明する。図１は本発明に係るポータブルコンピュータ収納型テーブルを複数用いて構成した会議用テーブルの実施形態を示し、図２は典型的な直線テーブルＡ、図３はコーナーテーブルＢをそれぞれ示し、図４〜図６は直線テーブルＡの断面図を示し、図中符号１は天板、２は脚板（脚部）、３は幕板、４は収納部、５は配線ボックス、６は開口、７は開閉天板、８は蓋体をそれぞれ示している。尚、本実施形態では、ポータブルコンピュータＰとして、ノート型パソコンを例示しているが、その他の電子情報端末を含む概念である。
【００１８】
本実施形態の直線テーブルＡは、図２に示すように、平面視長方形の天板１の両端部を板状の脚板２，２で支持するとともに、背面に渡って幕板３を設けた基本構造である。そして、前記天板１の後部には収納部３を単又は複数並設し、天板１の下方で後部に沿って配線ボックス５を設けている。両側に配置した脚板２，２の後部間を、前記幕板３及びその前面に一体的に設けた配線ボックス５によって連結することで、足入れ空間Ｓを有する脚部が構成される。
【００１９】
また、コーナーテーブルＢは、図３に示すように、天板１が平面視六角形であり、該天板１の前後辺が平行で、後辺に連続する後２辺が９０度の角度で前方へ開き、この後２辺の下部を脚板２，２で支持し、また前辺に連続する前２辺は９０度の角度で後方へ開き、前述の後２辺とは直角に交差している。前記コーナーテーブルＢの天板１の後２辺の長さは、前記直線テーブルＡの天板１の両側辺の長さと一致させている。その他の構成は直線テーブルＡと同様である。
【００２０】
図１、図９及び図１０に示すように、直線テーブルＡとコーナーテーブルＢをその脚板２，２同士を接合して連結することができ、あるいはコーナーテーブルＢ，Ｂ同士をその脚板２，２同士を接合して連結することができ、各天板１，…が環状に配置された会議用テーブルを構成することができる。
【００２１】
更に詳しくは、図２、図４〜図６に示すように、本発明に係るポータブルコンピュータ収納型テーブルは、足入れ空間Ｓを有する脚部で支持された天板１の後部に開口６を形成し、該開口６内にポータブルコンピュータＰの収納部４を設けるとともに、該開口６に後端を枢支して開閉可能な開閉天板７を設け、更に前記開閉天板７の前縁部の一部に蓋体８を開閉可能に設け、前記収納部４の内部から配線コードＣを接続したままの前記ポータブルコンピュータＰを天板１上に取り出すとともに、前記開閉天板７を閉じ且つ蓋体８を開放して形成される空間に前記配線コードＣを挿通することができるように構成した。
【００２２】
具体的には、前記収納部４は、前記開口６内の前端から後下方へ延びた傾斜板９と該傾斜板９の下端部に設けた当止部１０とからなり、前記傾斜板９に載支した前記ポータブルコンピュータＰを当止部１０で当止して収納するようになっている。更に、前記収納部４内であって前記傾斜板９に対して間隔を置いて水平なマウス置き台１１を設け、該収納部４に前記ポータブルコンピュータＰを収納した状態で、前記マウス置き台１１の前端部をポータブルコンピュータＰの後方移動を規制する規制部１２としている。
【００２３】
更に、前記傾斜板９の上面にはクッション性と摺動性を備えた緩衝シート１３を貼着するとともに、前記当止部１０の上面にもクッション性を備えた緩衝シート１４を貼着している。また、前記マウス置き台１１の規制部１２から前記傾斜板９に平行に下方へ延びた規制板１５を形成し、前記ポータブルコンピュータＰを面で受けて後方移動を規制するようにしている。
【００２４】
前記開閉天板７は、前記幕板３に閉止状態と開放状態の２状態を維持する機能を備えたヒンジ１６，１６で開口６を開閉可能に取付けている。前記ヒンジ１６は、一般の家具の扉に使用する引き込み可能な構造の市販品である。前記開口６の両側前部で下縁に沿って当止部材１７を突設し、前記開閉天板７を閉じた状態でその下面両側を当止し、前記天板１の上面と面一になるように設定している。
【００２５】
また、前記開閉天板７の前縁部の一部に四角形の切欠開口１８を形成するとともに、該切欠開口１８の両側後部に前記蓋体８の後部を上下回動可能に軸支するとともに、該軸支部１９よりも前側の切欠開口１８の側面に、前記蓋体８が開閉天板７の上面と面一となった閉止状態を維持するとともに、該蓋体８を開放した状態を維持するストッパー部材２０，２０を突設している。つまり、前記蓋体８の両側裏面を両側のストッパー部材２０，２０に載支することにより、該蓋体８を開閉天板７の上面と面一の状態で切欠開口１８を完全に閉じ、また蓋体８の後端部を指で押し込むことにより該蓋体８を開放することができ、その開放状態の蓋体８の裏面を前記ストッパー部材２０，２０の後端に当止し、開放状態を安定に維持するのである。
【００２６】
図４に示すように、前記天板１の下方で後部に沿って配線ボックス５を前記脚部と一体的に設けるとともに、前記収納部４の傾斜板９の一部が足入れ空間Ｓに臨んでいるように配置した。つまり、両脚板２，２の後端間に前記幕板３を設けるとともに、両脚板２，２の間で前記幕板３と平行に脚間板２１を渡設し、前後の幕板３と脚間板２１及び両脚板２，２とで配線ボックス５を構成している。また、前記脚間板２１の後方下部には水平な仕切板２２を設け、配線空間を区画し、例えば電源コード等の強電と信号コードの弱電を分離して配線できるようにしている。そして、前記脚間板２１の上部の一部を切り欠いて前記傾斜板９を受け入れて固定している。尚、前記収納部４は、両側に側面板２３，２３を有し、該側面板２３，２３も前記脚間板２１の切り欠き部分に受け入れて固定している。
【００２７】
また、前記幕板３は、上部が前記天板１よりも若干上方に突出した上幕板３Ａとその下方に着脱可能に設けた下幕板３Ｂとからなっている。前記上幕板３Ａは、前記天板１の後端と両脚板２，２の後端に強固に固定されて、前記脚間板２１とで剛性の高い構造とし、前記下幕板３Ｂは、配線ボックス５内で配線作業をする際に取り外すことができるようになっている。また、前記配線ボックス５の両端に位置する両脚板２，２には、コード挿通孔２４，２４を形成し、隣接する直線テーブルＡ，Ａ間、直線テーブルＡとコーナーテーブルＢ間、コーナーテーブルＢ，Ｂ間に渡って配線できるようになっている。
【００２８】
先ず、図４は、収納部４にポータブルコンピュータＰを収納し、マウス置き台１１にマウスＭを載置し、開閉天板７と蓋体８を閉じた状態であり、前記天板１、開閉天板７及び蓋体８の上面が面一となって上面を広く使用することができる。次に、収納部４からポータブルコンピュータＰを取り出して使用するには、前記蓋体８の後部を指で押すと、該蓋体８の前部が上方へ突出するので、該蓋体８の前部を持って開放した後、切欠開口１８に指を掛けて、あるいは蓋体８を持って開閉天板７を持ち上げて開放する（図５参照）。この状態で、ポータブルコンピュータＰとマウスＭを配線コードＣが接続されたまま天板１上へ取り出した後、前記開閉天板７を閉じながら、配線コードＣが切欠開口１８内に位置するようにし、最終的に開口６を開閉天板７で閉じ、配線コードＣが切欠開口１８から引き出された使用状態となる（図６参照）。
【００２９】
図７は、前記コーナーテーブルＢの断面図であるが、基本的には直線テーブルＡと同様であるので、同一構成には同一符号を付して、その説明は省略する。
【００３０】
図８は、前記収納部４とマウス置き台１１及び規制板１５の他の実施形態を示し、図示したものは前記傾斜板９に対して前記規制板１５の上端との距離を下端との距離よりも大きく設定するとともに、該規制板１５の上端を前記マウス置き台１１の上面より上方に突出させた構造である。このように前記傾斜板９と規制板１５を上方へ広がったテーパー状にすることにより、ポータブルコンピュータＰを収納部４に収納する際の誘い込み機能を持たせるとともに、ポータブルコンピュータＰがマウス置き台１１に衝突して引っ掛かることを防止するのである。また、前記規制板１５の上端が前記マウス置き台１１の上面より突出していることにより、マウス置き台１１に載置したマウスＭの前方への落下を防止できるのである。本実施形態の場合、前記規制部１２は、前記規制板１５によりその機能が果たされる。
【００３１】
また、図９は、４つのコーナー部に前記コーナーテーブルＢを配置し、その間に直線テーブルＡを配置して環状に連結した使用形態を示している。ここで、直線部分には複数の直線テーブルＡ，…を連結して、略長円形の配置とすることも可能である。図１０は、図１に示した使用形態と同じであり、両端部に二つのコーナーテーブルＢ，Ｂを直接連結し、その間に直線テーブルＡを配置したものであるが、４つのコーナーテーブルＢ，…のみをそれぞれ連結して最小の略円形の配置とすることも可能である。
【図面の簡単な説明】
【００３２】
【図１】本発明のポータブルコンピュータ収納型テーブルを用いて構成した会議用テーブルシステムを示す斜視図である。
【図２】直線テーブルの斜視図である。
【図３】コーナーテーブルの斜視図である。
【図４】直線テーブルの断面図であり、収納部にポータブルコンピュータを収納した状態を示している。
【図５】直線テーブルの断面図であり、開閉天板を開放した状態を示している。
【図６】直線テーブルの断面図であり、ポータブルコンピュータを取り出した使用状態を示している。
【図７】コーナーテーブルの断面図であり、開閉天板を開放した状態を示している。
【図８】収納部とマウス置き台の他の実施形態を示す断面図である。
【図９】直線テーブルとコーナーテーブルを組み合わせて環状に構成した会議用テーブル配置を示す平面図である。
【図１０】直線テーブルとコーナーテーブルを組み合わせて環状に構成した図１と同様の会議用テーブル配置を示す平面図である。
【符号の説明】
【００３３】
１  天板、              ２  脚板、
３  幕板、              ３  収納部、
３Ａ  上幕板、          ３Ｂ  下幕板、
４  収納部、            ５  配線ボックス、
６  開口、              ７  開閉天板、
８  蓋体、              ９  傾斜板、
１０  当止部、          １１  マウス置き台、
１２  規制部、          １３  緩衝シート、
１４  緩衝シート、      １５  規制板、
１６  ヒンジ、          １７  当止部材、
１８  切欠開口、        １９  軸支部、
２０  ストッパー部材、  ２１  脚間板、
２２  仕切板、          ２３  側面板、
２４  コード挿通孔、
Ａ  直線テーブル、
Ｂ  コーナーテーブル、
Ｓ  足入れ空間、
Ｐ  ポータブルコンピュータ、
Ｍ  マウス、
Ｃ  配線コード。
【図１】
2009273584.tif 000003
【図２】
2009273584.tif 000004
【図３】
2009273584.tif 000005
【図４】
2009273584.tif 000006
【図５】
2009273584.tif 000007
【図６】
2009273584.tif 000008
【図７】
2009273584.tif 000009
【図８】
2009273584.tif 000010
【図９】
2009273584.tif 000011
【図１０】
2009273584.tif 000012